(57)【要約】【課題】  ユーザーの利便性を飛躍的に向上させることができる撮像装置を提供する。【解決手段】  デジタルカメラ２は、円形のタッチパッド２１と、タッチパッド２１の中央部に設けられた押圧式の決定ボタン２２と、タッチパッド２１からの電気信号に基づいて、タッチパッド２１上の指の回転方向および回転速度を検知する回転検知回路７７と、回転検知回路７７の検知結果に応じて、ＬＣＤ１７による画像、およびメニュー画面の表示を制御するＬＣＤドライバ６７とを備える。【選択図】        図２
2006191232.tif 000002
【特許請求の範囲】
【請求項１】
撮像光学系を透過した被写体像を撮像してデジタルの画像データを出力する撮像手段と、前記画像データで表される画像、およびメニュー画面を表示する画像表示手段と、前記画像データを記憶する記憶手段とを備えた撮像装置において、
タッチパッドと、
押圧式の決定ボタンと、
前記タッチパッドからの電気信号に基づいて、前記タッチパッド上の指の回転方向および回転速度を検知する回転検知手段と、
前記回転検知手段の検知結果に応じて、前記画像表示手段による前記画像、および前記メニュー画面の表示を制御する表示制御手段とを備えたことを特徴とする撮像装置。
【請求項２】
前記タッチパッドは、所定の間隔を挟んで互いに対向する可動電極および固定電極を備え、
前記可動電極を前記固定電極に接離させることにより生じる静電容量、または電流の変化を前記電気信号として出力することを特徴とする請求項１に記載の撮像装置。
【請求項３】
前記タッチパッドは、装置本体を片手で把持したときに、指の接触に適した位置に配置されることを特徴とする請求項１または２に記載の撮像装置。
【請求項４】
前記表示制御手段は、スクロール、回転、またはコマ送り・コマ戻しのうち少なくともいずれか１つが可能なように、前記画像を前記画像表示手段に再生表示させるとともに、
前記検知結果に応じて、前記画像のスクロール方向およびスクロール速度、回転方向および回転角度、またはコマ送り・コマ戻しおよびコマ送り・コマ戻し速度のうち少なくともいずれか１つを変化させることを特徴とする請求項１ないし３のいずれかに記載の撮像装置。
【請求項５】
動画を撮影する動画撮影機能を備え、
前記表示制御手段は、早送り・巻き戻し、または再生開始位置の指定のうち少なくともいずれかが可能なように、前記動画を前記画像表示手段に再生表示させるとともに、
前記検知結果に応じて、前記動画の早送り・巻き戻しおよび早送り・巻き戻し速度、または再生開始位置のうち少なくともいずれかを変化させることを特徴とする請求項１ないし４のいずれかに記載の撮像装置。
【請求項６】
前記表示制御手段は、前記メニュー画面として、前記画像データのサムネイル画像、ファイル名、または前記画像データが格納されたフォルダ名のうち少なくともいずれか１つをスクロール可能なように、一覧で前記画像表示手段に表示させるとともに、
前記検知結果に応じて、前記一覧のスクロール方向およびスクロール速度を変化させることを特徴とする請求項１ないし５のいずれかに記載の撮像装置。
【請求項７】
前記表示制御手段は、前記メニュー画面として、前記画像を撮影する際の撮影条件や前記画像データを前記記憶手段に記憶する際の記憶条件を少なくとも含む項目をスクロール可能なように、一覧で前記画像表示手段に表示させるとともに、
前記検知結果に応じて、前記一覧のスクロール方向およびスクロール速度を変化させることを特徴とする請求項１ないし６のいずれかに記載の撮像装置。
【請求項８】
複数のカテゴリ毎に用意されたカテゴリフォルダに分類して、前記画像データを前記記憶手段に記憶するカテゴライズ機能を備え、
前記表示制御手段は、前記メニュー画面として、前記カテゴリフォルダの名前をスクロール可能なように、一覧で前記画像表示手段に表示させるとともに、
前記検知結果に応じて、前記一覧のスクロール方向およびスクロール速度を変化させることを特徴とする請求項１ないし７のいずれかに記載の撮像装置。
【請求項９】
撮影した日時毎に用意された日時フォルダに分類して、前記画像データを前記記憶手段に記憶する日時分類機能を備え、
前記表示制御手段は、前記メニュー画面として、前記日時フォルダの名前をスクロール可能なように、一覧で前記画像表示手段に表示させるとともに、
前記表示制御手段は、前記検知結果に応じて、前記一覧のスクロール方向およびスクロール速度を変化させることを特徴とする請求項１ないし８のいずれかに記載の撮像装置。
【請求項１０】
重要度に応じた複数のランクに分類して、前記画像データを前記記憶手段に記憶するランク分類機能を備え、
前記表示制御手段は、前記メニュー画面として、前記画像データのファイル名またはサムネイル画像をスクロール可能なように、前記ランクの高いものから順に一覧で前記画像表示手段に表示させるとともに、
前記検知結果に応じて、前記一覧のスクロール方向およびスクロール速度を変化させることを特徴とする請求項１ないし９のいずれかに記載の撮像装置。
【請求項１１】
前記表示制御手段は、前記画像データのファイル名またはサムネイル画像とともに、前記ランクを前記画像表示手段に表示させることを特徴とする請求項１０に記載の撮像装置。
【請求項１２】
前記画像の再生表示回数をカウントする回数カウント機能を備え、
前記表示制御手段は、前記メニュー画面として、前記画像データのファイル名またはサムネイル画像をスクロール可能なように、前記再生表示回数の多いものから順に一覧で前記画像表示手段に表示させるとともに、
前記検知結果に応じて、前記一覧のスクロール方向およびスクロール速度を変化させることを特徴とする請求項１ないし１１のいずれかに記載の撮像装置。
【請求項１３】
前記表示制御手段は、前記画像データのファイル名またはサムネイル画像とともに、前記再生表示回数を前記画像表示手段に表示させることを特徴とする請求項１２に記載の撮像装置。
【請求項１４】
前記画像データを蓄積する画像蓄積装置と相互通信する通信手段を備え、
前記表示制御手段は、前記画像蓄積装置に蓄積された画像データと前記記憶手段に記憶された画像データとを比較した結果に基づいて、前記記憶手段に記憶されていて前記画像蓄積装置に記憶されていない画像データのファイル名またはサムネイル画像を、一覧で前記画像表示手段に表示させるとともに、
前記通信手段は、前記画像蓄積装置に記憶された画像データと、前記記憶手段に記憶された画像データとが一致するように、画像データを同期させることを特徴とする請求項１ないし１３のいずれかに記載の撮像装置。
【請求項１５】
前記タッチパッドおよび前記決定ボタンの操作により、前記画像データの同期を行うか否かを、前記画像データ毎に選択させることが可能であることを特徴とする請求項１４に記載の撮像装置。
【請求項１６】
前記通信手段は、前記画像蓄積装置で設定された項目と、撮像装置自体で設定された項目とが一致するように、項目の内容を同期させることを特徴とする請求項１４または１５に記載の撮像装置。
【発明の詳細な説明】
【技術分野】
【０００１】
本発明は、例えばデジタルカメラやカメラ付き携帯電話などの撮像装置に関する。
【背景技術】
【０００２】
撮像装置として、ＣＣＤなどの固体撮像素子で撮像した被写体像をデジタルの画像データに変換し、内蔵メモリやメモリカードなどの記憶媒体に記憶するデジタルカメラが普及している。このようなデジタルカメラには、シャッタレリーズ動作を実行させるためのレリーズボタンや、撮影モード、再生モード、設定モードなどの各種モードを切り替える切り替えスイッチ、各種項目を選択するための十字キー、項目を決定するための決定ボタンなど、様々な操作部材が設けられている。
【０００３】
上記のようなデジタルカメラの操作部材として、ズームレンズをワイド側、テレ側に変倍するためのズームボタンと、明暗調整や露出補正などの各種項目を選択するための電子ダイヤルとを一体化した電子ダイヤル付きズームボタンが提案されている（特許文献１参照）。また、最近では、タッチパネル（特許文献２参照）を搭載したデジタルカメラが提案されている。
【特許文献１】特開２００３−３４８４１２号公報
【特許文献２】特開平９−９１０９４号公報
【発明の開示】
【発明が解決しようとする課題】
【０００４】
特許文献１に記載の技術では、電子ダイヤルに固定されたブラシ電極が導体パターン上を接触滑動することで、電子ダイヤルの回転を検出しているので、検出可能な回転速度に自ずと限界がある。このため、比較的少ない２、３の項目から選択する場合には問題ないが、数十の項目から選択する場合を考慮すると、できるだけ時間を掛けずに選択・設定を行いたいというユーザーの要求を満たすものであるとは言い難い。
【０００５】
そのうえ、最近では、メモリカードの容量が増加して撮影可能枚数が増え、記憶される画像データが膨大な量となっているため、備え付けの液晶表示器に再生表示する画像を選択する際に、所望の画像を探し出すことが困難になってきている。したがって、現在、多くの項目から素早く所望の項目を探し出すことが可能な操作部材を備えたデジタルカメラの開発が期待されている。
【０００６】
本発明は、上記課題を鑑みてなされたものであり、ユーザーの利便性を飛躍的に向上させることができる撮像装置を提供することを目的とする。
【課題を解決するための手段】
【０００７】
上記目的を達成するために、本発明は、撮像光学系を透過した被写体像を撮像してデジタルの画像データを出力する撮像手段と、前記画像データで表される画像、およびメニュー画面を表示する画像表示手段と、前記画像データを記憶する記憶手段とを備えた撮像装置において、タッチパッドと、押圧式の決定ボタンと、前記タッチパッドからの電気信号に基づいて、前記タッチパッド上の指の回転方向および回転速度を検知する回転検知手段と、前記回転検知手段の検知結果に応じて、前記画像表示手段による前記画像、および前記メニュー画面の表示を制御する表示制御手段とを備えたことを特徴とする。
【０００８】
なお、前記タッチパッドは、所定の間隔を挟んで互いに対向する可動電極および固定電極を備え、前記可動電極を前記固定電極に接離させることにより生じる静電容量、または電流の変化を前記電気信号として出力することが好ましい。
【０００９】
また、前記タッチパッドは、装置本体を片手で把持したときに、指の接触に適した位置に配置されることが好ましい。
【００１０】
前記表示制御手段は、スクロール、回転、またはコマ送り・コマ戻しのうち少なくともいずれか１つが可能なように、前記画像を前記画像表示手段に再生表示させるとともに、前記検知結果に応じて、前記画像のスクロール方向およびスクロール速度、回転方向および回転角度、またはコマ送り・コマ戻しおよびコマ送り・コマ戻し速度のうち少なくともいずれか１つを変化させることが好ましい。
【００１１】
動画を撮影する動画撮影機能を備え、前記表示制御手段は、早送り・巻き戻し、または再生開始位置の指定のうち少なくともいずれかが可能なように、前記動画を前記画像表示手段に再生表示させるとともに、前記検知結果に応じて、前記動画の早送り・巻き戻しおよび早送り・巻き戻し速度、または再生開始位置のうち少なくともいずれかを変化させることが好ましい。
【００１２】
前記表示制御手段は、前記メニュー画面として、前記画像データのサムネイル画像、ファイル名、または前記画像データが格納されたフォルダ名のうち少なくともいずれか１つをスクロール可能なように、一覧で前記画像表示手段に表示させるとともに、前記検知結果に応じて、前記一覧のスクロール方向およびスクロール速度を変化させることが好ましい。
【００１３】
前記表示制御手段は、前記メニュー画面として、前記画像を撮影する際の撮影条件や前記画像データを前記記憶手段に記憶する際の記憶条件を少なくとも含む項目をスクロール可能なように、一覧で前記画像表示手段に表示させるとともに、前記検知結果に応じて、前記一覧のスクロール方向およびスクロール速度を変化させることが好ましい。
【００１４】
複数のカテゴリ毎に用意されたカテゴリフォルダに分類して、前記画像データを前記記憶手段に記憶するカテゴライズ機能を備え、前記表示制御手段は、前記メニュー画面として、前記カテゴリフォルダの名前をスクロール可能なように、一覧で前記画像表示手段に表示させるとともに、前記検知結果に応じて、前記一覧のスクロール方向およびスクロール速度を変化させることが好ましい。
【００１５】
撮影した日時毎に用意された日時フォルダに分類して、前記画像データを前記記憶手段に記憶する日時分類機能を備え、前記表示制御手段は、前記メニュー画面として、前記日時フォルダの名前をスクロール可能なように、一覧で前記画像表示手段に表示させるとともに、前記表示制御手段は、前記検知結果に応じて、前記一覧のスクロール方向およびスクロール速度を変化させることが好ましい。
【００１６】
重要度に応じた複数のランクに分類して、前記画像データを前記記憶手段に記憶するランク分類機能を備え、前記表示制御手段は、前記メニュー画面として、前記画像データのファイル名またはサムネイル画像をスクロール可能なように、前記ランクの高いものから順に一覧で前記画像表示手段に表示させるとともに、前記検知結果に応じて、前記一覧のスクロール方向およびスクロール速度を変化させることが好ましい。なお、前記表示制御手段は、前記画像データのファイル名またはサムネイル画像とともに、前記ランクを前記画像表示手段に表示させることが好ましい。
【００１７】
前記画像の再生表示回数をカウントする回数カウント機能を備え、前記表示制御手段は、前記メニュー画面として、前記画像データのファイル名またはサムネイル画像をスクロール可能なように、前記再生表示回数の多いものから順に一覧で前記画像表示手段に表示させるとともに、前記検知結果に応じて、前記一覧のスクロール方向およびスクロール速度を変化させることが好ましい。なお、前記表示制御手段は、前記画像データのファイル名またはサムネイル画像とともに、前記再生表示回数を前記画像表示手段に表示させることが好ましい。
【００１８】
前記画像データを蓄積する画像蓄積装置と相互通信する通信手段を備え、前記表示制御手段は、前記画像蓄積装置に蓄積された画像データと前記記憶手段に記憶された画像データとを比較した結果に基づいて、前記記憶手段に記憶されていて前記画像蓄積装置に記憶されていない画像データのファイル名またはサムネイル画像を、一覧で前記画像表示手段に表示させるとともに、前記通信手段は、前記画像蓄積装置に記憶された画像データと、前記記憶手段に記憶された画像データとが一致するように、画像データを同期させることが好ましい。なお、前記タッチパッドおよび前記決定ボタンの操作により、前記画像データの同期を行うか否かを、前記画像データ毎に選択させることが可能であることが好ましい。また、前記通信手段は、前記画像蓄積装置で設定された項目と、撮像装置自体で設定された項目とが一致するように、項目の内容を同期させることが好ましい。
【発明の効果】
【００１９】
本発明の撮像装置によれば、タッチパッドと、押圧式の決定ボタンと、タッチパッドからの電気信号に基づいて、タッチパッド上の指の回転方向および回転速度を検知する回転検知手段と、回転検知手段の検知結果に応じて、前画像表示手段による画像、およびメニュー画面の表示を制御する表示制御手段とを備えたので、多くの項目から素早く所望の項目を探し出すことが可能となり、ユーザーの意図に即座に対応することができる。したがって、ユーザーの利便性を飛躍的に向上させることができる。
【発明を実施するための最良の形態】
【００２０】
図１および図２において、本発明を適用したデジタルカメラ２の前面には、撮像レンズ１０を保持するレンズ鏡胴１１が組み込まれている。デジタルカメラ２の上面には、レリーズボタン１２、電源スイッチ１３、およびモードダイヤル１４が設けられており、側面には、メモリカード７０（図７参照）が着脱自在に装填されるメモリカードスロットを覆う蓋１５が設けられている。
【００２１】
デジタルカメラ２の背面には、電子ビューファインダを構成するファインダ接眼窓１６、液晶表示器（ＬＣＤ）１７、および操作部１８が設けられている。ＬＣＤ１７は、撮影した画像やいわゆるスルー画像、各種メニュー画面を表示する。操作部１８は、撮像レンズ１０のズームレンズをワイド側、テレ側に変倍するとともに、ＬＣＤ１７に再生表示された画像の一部分の拡大・縮小を行うズーム操作ボタン１９や、ＬＣＤ１７にメニュー画面を表示させる際に操作されるメニューボタン２０、メニュー画面内でカーソルを移動させる際などに操作される円形のタッチパッド２１、およびタッチパッド２１の中央部に設けられ、選択内容を決定する際に操作される押圧式の決定ボタン２２から構成される。
【００２２】
デジタルカメラ２では、静止画撮影を行う静止画撮影モード、動画撮影を行う動画撮影モード、撮影した画像をＬＣＤ１７に再生表示する再生モード、および各種設定を行う設定モードが選択可能となっている。これらのモードの切り替えは、モードダイヤル１４を回動操作させることで行われる。なお、動画撮影モードでは、動画の撮影とともに、図示しないマイクロホンを介して周囲の音声が収録される。
【００２３】
静止画の再生モード下では、ＬＣＤ１７に再生表示される画像の縦横方向のスクロール（図９参照）、回転（図１０参照）、およびコマ送り・コマ戻し（図１１参照）が可能となっている。また、動画の再生モード下では、動画の早送り・巻き戻し（図１２参照）、および再生開始位置の指定（図１３参照）が可能となっている。これらの機能の切り替えは、操作部１８を操作することにより行われる。
【００２４】
レリーズボタン１２は、２段階押しのスイッチとなっている。ＬＣＤ１７による被写体のフレーミングの後に、レリーズボタン１２を軽く押圧（半押し）すると、自動露出調整（ＡＥ）、自動焦点調整（ＡＦ）などの各種撮影準備処理が施される。この状態でレリーズボタン１２をもう１度強く押圧（全押し）すると、撮影準備処理が施された１画面分の撮像信号が画像データに変換された後、後述する画像処理および圧縮処理が施され、メモリカード７０に記憶される。
【００２５】
図３に示すように、タッチパッド２１は、デジタルカメラ２を右手３０で把持したときに、親指３０ａの接触に適した位置、つまりデジタルカメラ２の背面の右側下部に配置されている。なお、デジタルカメラが縦長形状である場合は、背面の上部にタッチパッドを配置することが好ましい。
【００２６】
図４および図５に示すように、タッチパッド２１は、操作円板４０と、Ｘ方向電極４１ａおよびＹ方向電極４１ｂと、スペーサ４２と、回路基板４３とを備えている。Ｘ方向電極４１ａとＹ方向電極４１ｂとは、弾性を有する絶縁体からなるスペーサ４２によって、所定の間隔を挟んで対向している。回路基板４３には、Ｘ方向電極４１ａとＹ方向電極４１ｂとに電圧を印加するための電源や、後述する座標検出回路４４（図６参照）が設けられている。
【００２７】
図６に示すように、Ｘ方向電極４１ａおよびＹ方向電極４１ｂは、トランジスタなどのスイッチング素子からなる座標検出回路４４に接続されており、その交点でコンデンサ４５を形成する。
【００２８】
コンデンサ４５には、電源から印加された電圧による電荷が蓄えられている。操作円板４０上を指でなぞると、スペーサ４２が変形してＸ方向電極４１ａがＹ方向電極４１ｂに接近する。これにより、Ｘ方向電極４１ａとＹ方向電極４１ｂとの間隔が狭まり、コンデンサ４５の静電容量が変化する。座標検出回路４４は、コンデンサ４５の静電容量の変化をＸＹ方向について検出し、この検出結果を後述する回転検知回路７７（図７参照）に送信する。
【００２９】
デジタルカメラ２の電気的構成を示す図７において、撮像レンズ１０には、レンズモータ５０が接続されている。また、絞り５１には、アイリスモータ５２が接続されている。これらのモータ５０、５２はステッピングモータからなり、ＣＰＵ５３に接続されたモータドライバ５４、５５から送信される駆動パルスにより動作制御され、レリーズボタン１２の半押しに伴う撮影準備処理を行う。
【００３０】
レンズモータ５０は、ズーム操作ボタン１９の操作に連動して、撮像レンズ１０のズームレンズをワイド側、あるいはテレ側に移動させる。また、ズームレンズの変倍などに応じて撮像レンズ１０のフォーカスレンズ（図示せず）を移動させ、撮影条件が最適となるように焦点調整を行う。アイリスモータ５２は、絞り５１を動作させ、露出調整を行う。
【００３１】
撮像レンズ１０の背後には、撮像レンズ１０を透過した被写体像が撮像されるＣＣＤ５６が配置されている。ＣＣＤ５６には、ＣＰＵ５３によって制御されるタイミングジェネレータ（ＴＧ）５７が接続され、このＴＧ５７から入力されるタイミング信号（クロックパルス）により、電子シャッタのシャッタ速度が決定される。
【００３２】
ＣＣＤ５６から出力された撮像信号は、相関二重サンプリング回路（ＣＤＳ）５８に入力され、ＣＣＤ５６の各セルの蓄積電荷量に正確に対応したＲ、Ｇ、Ｂの画像データとして出力される。ＣＤＳ５８から出力された画像データは、増幅器（ＡＭＰ）５９で増幅され、Ａ／Ｄ変換器（Ａ／Ｄ）６０でデジタルの画像データに変換される。
【００３３】
画像入力コントローラ６１は、バス６２を介してＣＰＵ５３に接続され、ＣＰＵ５３の制御命令に応じて、ＣＣＤ５６、ＣＤＳ５８、ＡＭＰ５９、およびＡ／Ｄ６０を制御する。Ａ／Ｄ６０から出力された画像データは、ＳＤＲＡＭ６３に一時記録される。
【００３４】
画像信号処理回路６４は、ＳＤＲＡＭ６３から画像データを読み出して、階調変換、ホワイトバランス補正、γ補正処理などの各種画像処理を施し、この画像データを再度ＳＤＲＡＭ６３に記録する。ＹＣ変換処理回路６５は、画像信号処理回路６４で各種処理を施された画像データをＳＤＲＡＭ６３から読み出し、輝度信号Ｙと色差信号Ｃｒ、Ｃｂとに変換する。
【００３５】
ＶＲＡＭ６６は、ＬＣＤ１７にスルー画像を出力するためのメモリであり、画像信号処理回路６４、ＹＣ変換処理回路６５を経た画像データが格納される。ＶＲＡＭ６６には、画像データの書き込みと読み出しを並行して行えるように、２フレーム分のメモリ６６ａ、６６ｂが確保されている。ＶＲＡＭ６６に格納された画像データは、ＬＣＤドライバ６７でアナログのコンポジット信号に変換され、ＬＣＤ１７にスルー画像として表示される。
【００３６】
圧縮伸長処理回路６８は、ＹＣ変換処理回路６５でＹＣ変換された画像データに対して、所定の圧縮形式（例えばＪＰＥＧ形式）で画像圧縮を施す。圧縮された画像データは、メディアコントローラ６９を経由してメモリカード７０に記憶される。
【００３７】
メディアコントローラ６９は、画像データをメモリカード７０に記憶する際に、通常、適当なファイル名８３（図１５参照）を付して、フォルダに格納する。また、これとは別に、メディアコントローラ６９は、複数のカテゴリ毎に用意されたカテゴリフォルダ（図１８参照）に分類して、画像データを記憶するカテゴライズ機能と、撮影した日時毎に用意された日時フォルダ（図１９参照）に分類して記憶する日時分類機能と、重要度に応じた複数のランク８９（図２０参照）に分類して記憶するランク分類機能とを備えている。
【００３８】
ＣＰＵ５３には、前述のレリーズボタン１２、操作部１８の他に、ＥＥＰＲＯＭ７１が接続されている。ＥＥＰＲＯＭ７１には、各種制御用のプログラムや設定情報などが記録されている。ＣＰＵ５３は、これらの情報をＥＥＰＲＯＭ７１から作業用メモリであるＳＤＲＡＭ６３に読み出して、各種処理を実行する。
【００３９】
バス６２には、露出量、すなわち電子シャッタのシャッタ速度、および絞り５１の絞り値が撮影に適切か否かを検出するとともに、ホワイトバランスが撮影に適切か否かを検出するＡＥ／ＡＷＢ検出回路７２と、撮像レンズ１０の焦点調整が撮影に適切か否かを検出するＡＦ検出回路７３と、ストロボ装置７４の動作を制御するストロボ制御回路７５と、通信Ｉ／Ｆ７６とが接続されている。
【００４０】
ＡＥ／ＡＷＢ、ＡＦ検出回路７２、７３は、レリーズボタン１２の半押し時に、バス６２を介してＣＰＵ５３に検出結果を逐次送信する。ＣＰＵ５３は、これらの検出回路７２、７３から送信される検出結果に基づいて、撮像レンズ１０、絞り５１、およびＣＣＤ５６の動作を制御する。
【００４１】
ＣＰＵ５３内に設けられた回転検知回路７７は、座標検出回路４４から送信される電気信号に基づいて、タッチパッド２１上の指の回転方向および回転速度を検知する。具体的には、タッチパッド２１上の指の位置を電気信号から読み取り、指の位置の時間的な推移を元に回転方向を検知するとともに、図８に示すように、基準クロック（システムクロック）と電気信号の送信頻度との比較を元に回転速度を検知する。
【００４２】
静止画の再生モード下において、ＬＣＤドライバ６７は、図９〜図１１に示すように、スクロール、回転、およびコマ送り・コマ戻しが可能なように、画像をＬＣＤ１７に再生表示させるとともに、回転検知回路７７の検知結果に応じて、画像のスクロール方向およびスクロール速度、回転方向および回転角度、並びにコマ送り・コマ戻しおよびコマ送り・コマ戻し速度を変化させる。
【００４３】
つまり、例えば、タッチパッド２１の操作円板４０が指で時計回りになぞられたことを検知した場合は、図９に示すように画像を右にスクロールさせる。あるいは、図１０に示すように画像を右に回転させる（この場合は９０°回転）。若しくは、図１１に示すように画像を「ＤＳＣＦ０００１」から次のコマの「ＤＳＣＦ０００２」にコマ送りさせる。一方、反時計回りになぞられたことを検知した場合は、画像を左にスクロールさせる。あるいは、画像を左に回転させる。若しくは、画像をコマ戻しさせる。
【００４４】
画像のスクロールは、ズーム操作ボタン１９が操作されて画像の一部分が拡大表示されたときに有効となる。なお、図９では、横方向に画像をスクロールさせる例を挙げているが、操作部１８の操作により縦方向のスクロールが指定された場合も同様に、回転検知回路７７の検知結果に応じて、スクロール方向およびスクロール速度が変化される。
【００４５】
画像の回転は、画像信号処理回路６４で画像データの各画素のアドレスを組み換えることで行う。あるいは、画像信号処理回路６４で予め画像の回転処理を行い、回転処理した画像をＳＤＲＡＭ６３やＶＲＡＭ６６に一時格納しておいてもよい。なお、回転の情報を画像データのタグに記録し、次回の再生表示を記録された向きで行うようにしてもよい。
【００４６】
動画の再生モード下において、ＬＣＤドライバ６７は、図１２および図１３に示すように、早送り・巻き戻し、および再生開始位置の指定が可能なように、動画をＬＣＤ１７に再生表示させるとともに、回転検知回路７７の検知結果に応じて、動画の早送り・巻き戻しおよび早送り・巻き戻し速度、および再生開始位置を変化させる。
【００４７】
つまり、例えば、タッチパッド２１の操作円板４０が指で時計回りになぞられたことを検知した場合は、図１２に示すように動画を早送りさせる。あるいは、図１３に示すように動画の再生開始位置を後のコマに移動させる。一方、反時計回りになぞられたことを検知した場合は、画像を巻き戻しさせる。あるいは、再生開始位置を前のコマに移動させる。
【００４８】
画像の早送り・巻き戻しは、操作円板４０上で指の移動がされなくなったと検知したときに終了され、その位置から動画が再生表示される。再生開始位置の指定は、初めに動画の再生を開始する前、あるいは決定ボタン２２が押圧操作されて動画の再生が一時停止されたときに有効となる。
【００４９】
指定された再生開始位置からの動画の再生は、決定ボタン２２を再度押圧操作することにより行われる。ここで、図１２および図１３で示す符号８０および８１は、動画の再生位置を表すスクロールバーおよびブロックであり、ブロック８１がスクロールバー８０の左側にある程、動画の再生時間が前であることを示す。なお、動画撮影時の時間や動画再生開始時点からの再生時間を表示してもよい。
【００５０】
図１４〜図１６に示すように、ＬＣＤドライバ６７は、画像データのサムネイル画像８２、ファイル名８３、および画像データが格納されたフォルダ名８４をスクロール可能なように、一覧でＬＣＤ１７に表示させるとともに、回転検知回路７７の検知結果に応じて、一覧のスクロール方向およびスクロール速度を変化させる。
【００５１】
すなわち、例えば、タッチパッド２１の操作円板４０が指で時計回りになぞられたことを検知した場合は、図１４に示すようにサムネイル画像８２の一覧を後尾の方にスクロールさせる。あるいは、図１５に示すようにファイル名８３の一覧を後尾の方にスクロールさせる。若しくは、図１６に示すようにフォルダ名８４の一覧を後尾の方にスクロールさせる。一方、反時計回りになぞられたことを検知した場合は、一覧を先頭の方にスクロールさせる。
【００５２】
サムネイル画像８２、ファイル名８３、およびフォルダ名８４の指定は、タッチパッド２１を操作してカーソル枠８５を所望のサムネイル画像８２、ファイル名８３、およびフォルダ名８４に合わせ、決定ボタン２２を押圧操作することにより行われる。
【００５３】
図１７に示すように、ＬＣＤドライバ６７は、画像を撮影する際の撮影条件、画像データを記憶手段に記憶する際の記憶条件を少なくとも含む項目８６をスクロール可能なように、一覧でＬＣＤ１７に表示させるとともに、回転検知回路７７の検知結果に応じて、一覧のスクロール方向およびスクロール速度を変化させる。
【００５４】
すなわち、例えば、タッチパッド２１の操作円板４０が指で時計回りになぞられたことを検知した場合は、図示するように項目８６の一覧を後尾の方にスクロールさせ、反時計回りになぞられたことを検知した場合は、一覧を先頭の方にスクロールさせる。項目８６の設定は、タッチパッド２１を操作してカーソル枠８５を所望の項目８６に合わせ、決定ボタン２２を押圧操作することにより行われる。
【００５５】
図１８および図１９に示すように、ＬＣＤドライバ６７は、カテゴライズ機能で画像データが分類されたカテゴリフォルダ名８７、および日時分類機能で画像データが分類された日時フォルダ名８８をスクロール可能なように、一覧でＬＣＤ１７に表示させるとともに、回転検知回路７７の検知結果に応じて、一覧のスクロール方向およびスクロール速度を変化させる。
【００５６】
すなわち、例えば、タッチパッド２１の操作円板４０が指で時計回りになぞられたことを検知した場合は、図１８に示すようにカテゴリフォルダ名８７の一覧を後尾の方にスクロールさせる。あるいは、図１９に示すように日時フォルダ名８８の一覧を後尾の方にスクロールさせる。一方、反時計回りになぞられたことを検知した場合は、一覧を先頭の方にスクロールさせる。
【００５７】
カテゴライズ機能は、例えば、撮影後にユーザーが撮影した画像のカテゴリを入力することによって有効となる。あるいは、周知の画像認識技術を用いて、画像内の被写体を認識した結果に応じて、自動的にカテゴリ分けを行ってもよい。
【００５８】
日時分類機能は、画像データのタグに記述されている撮影日時情報を元に、画像データを分類する。カテゴリフォルダ名８７および日時フォルダ名８８の指定は、タッチパッド２１を操作してカーソル枠８５を所望の項目に合わせ、決定ボタン２２を押圧操作することにより行われる。
【００５９】
図２０および図２１に示すように、ＬＣＤドライバ６７は、画像データのファイル名８３をスクロール可能なように、ランク分類機能で分類されたランク（星印の個数で表す。この場合は５段階）８９の高いものから順に、および回数カウント機能でカウントされた再生表示回数９０の多いものから順に一覧でＬＣＤ１７に表示させるとともに、回転検知回路７７の検知結果に応じて、一覧のスクロール方向およびスクロール速度を変化させる。
【００６０】
すなわち、例えば、タッチパッド２１の操作円板４０が指で時計回りになぞられたことを検知した場合は、図２０および図２１に示すようにファイル名８３の一覧を後尾の方にスクロールさせ、反時計回りになぞられたことを検知した場合は、一覧を先頭の方にスクロールさせる。
【００６１】
ランク分類機能は、例えば、撮影後にユーザーが撮影した画像のランクを入力することによって有効となる。ファイル名８３の指定は、タッチパッド２１を操作してカーソル枠８５を所望のファイル名８３に合わせ、決定ボタン２２を押圧操作することにより行われる。カテゴリフォルダ、日時フォルダ、ランク８９付きのファイル名８３、および再生表示回数９０付きのファイル名８３のうちのいずれで表示させるかは、タッチパッド２１および決定ボタン２２にて事前に選択される。
【００６２】
図２２に示すように、デジタルカメラ２は、通信Ｉ／Ｆ７６を介して、パーソナルコンピュータや画像ファイルサーバ、ＨＤＤレコーダーなどの外部画像蓄積装置１００と接続し、イーサネット（登録商標）、無線ＬＡＮ、ＩＥＥＥ１３９４、ＵＳＢなどにより相互通信する機能を備えている。
【００６３】
図２３に概念的に示すように、通信Ｉ／Ｆ７６は、画像蓄積装置１００に蓄積された画像データとメモリカード７０に記憶された画像データを比較した結果に基づいて、画像蓄積装置１００に記憶された画像データと、メモリカード７０に記憶された画像データとが一致するように、画像データを同期させる。
【００６４】
また、通信Ｉ／Ｆ７６は、画像蓄積装置１００で設定された項目と、デジタルカメラ２自体で設定された項目とが一致するように、項目の内容を同期させる。具体的には、図２４に概念的に示すように、回数カウント機能による再生表示回数の情報がデジタルカメラ２側で更新されたときに、更新された再生表示回数の情報を画像蓄積装置１００に送信する。なお、画像蓄積装置１００側で画像データや項目の更新があった場合も同様に、更新された画像データや項目をデジタルカメラ２に送信してもよい。
【００６５】
図２５に示すように、ＬＣＤドライバ６７は、メモリカード７０に記憶されていて画像蓄積装置１００に記憶されていない画像データのファイル名８３をＬＣＤ１７に表示させる。
【００６６】
また、図１５に示す表示画面で、タッチパッド２１および決定ボタン２２の操作により、画像蓄積装置１００と画像データの同期を行うか否かを、画像データ毎に選択することができる。図２６に示すように、画像の同期を行うことが決定された画像データのファイル名８３には、チェックマーク（×印）１０１が付される。
【００６７】
次に、上記構成を有するデジタルカメラ２の動作について、図２７のフローチャートを参照して説明する。まず、デジタルカメラ２で被写体の撮影を行う際には、電源スイッチ１３を操作してデジタルカメラ２の電源を投入し、モードダイヤル１４を操作して静止画撮影モード、あるいは動画撮影モードを選択する。
【００６８】
撮影モード下において、撮像レンズ１０、絞り５１を介して入射した被写体光は、ＣＣＤ５６により光電変換され、ＣＤＳ５８でサンプリングされる。ＣＤＳ５８から出力された画像データは、ＡＭＰ５９で増幅され、Ａ／Ｄ６０でデジタルの画像データに変換される。
【００６９】
デジタル変換された画像データは、画像信号処理回路６４で各種画像処理が施された後、画像入力コントローラ６１を介してＳＤＲＡＭ６３に順次記録される。ＳＤＲＡＭ６３に記録された画像データは、ＹＣ変換処理回路６５に読み出され、輝度信号Ｙと色差信号Ｃｒ、Ｃｂとに変換された後、ＶＲＡＭ６６に格納され、ＬＣＤドライバ６７を介してＬＣＤ１７にスルー画像として表示される。この状態でレリーズボタン１２が半押しされると、ＡＥ／ＡＷＢ検出回路７２、ＡＦ検出回路７３の検出結果に基づいて、ＣＰＵ５３により各部の動作が制御され、撮影準備処理が施される。
【００７０】
撮影準備処理後、レリーズボタン１２の全押しにより撮影が実行されると、静止画撮影モード下では、そのときＳＤＲＡＭ６３に記録されている画像データが圧縮伸長処理回路６８で圧縮処理され、メディアコントローラ６９を経由してメモリカード７０に記憶される。
【００７１】
一方、動画撮影モード下では、レリーズボタン１２が再度全押しされるまで、一定のフレームレート（例えば３０フレーム／秒）で画像データが記憶される。また、これと同時にマイクロホンを介して周囲の音声が収録される。マイクロホンで収録された音声は、画像データと関連付けられてメモリカード７０に記憶される。
【００７２】
図２７に示すように、再生モード下、あるいは設定モード下では、座標検出回路４４により、タッチパッド２１のＸ方向電極４１ａおよびＹ方向電極４１ｂの交点に形成されるコンデンサ４５の静電容量の変化がＸＹ方向について検出される。座標検出回路４４の検出結果は、回転検知回路７７に送信される。
【００７３】
回転検知回路７７では、座標検出回路４４から送信される電気信号に基づいて、タッチパッド２１上の指の回転方向および回転速度が検知され、この検知結果に応じて、ＬＣＤドライバ６７により、ＬＣＤ１７の表示が更新される。
【００７４】
以上説明したように、円形のタッチパッド２１と、タッチパッド２１の中央部に設けられた押圧式の決定ボタン２２と、タッチパッド２１からの電気信号に基づいて、タッチパッド２１上の指の回転方向および回転速度を検知する回転検知回路７７とを備え、ＬＣＤドライバ６７により、回転検知回路７７の検知結果に応じて、ＬＣＤ１７による画像、およびメニュー画面の表示を制御するので、多くの項目から素早く所望の項目を探し出すことが可能となり、ユーザーの意図に即座に対応することができる。したがって、ユーザーの利便性を飛躍的に向上させることができる。
【００７５】
また、タッチパッド２１は、デジタルカメラ２本体を片手で把持したときに、指の接触に適した位置に配置されるので、良好な操作性を提供することができる。また、カテゴライズ機能、日時分類機能、ランク分類機能、および回数カウント機能を備えたので、さらに容易に画像の検索をすることができる。さらに、画像蓄積装置１００と画像データや設定項目の同期を行えるようにしたので、さらなる利便性の向上を実現することができる。
【００７６】
なお、タッチパッド２１の構成としては、上記実施形態に限らず、操作円板４０の周面に沿ってスペーサ４２を設け、Ｘ方向電極４１ａとＹ方向電極４１ｂとの間を空隙として、Ｘ方向電極４１ａとＹ方向電極４１ｂとの接触により流れる電流を元に検出を行ってもよい。また、図２８に示すように、ある一定区画毎にＸ方向電極４１ａとＹ方向電極４１ｂとの間の抵抗値を変化させ（この場合はＲ１〜Ｒ８の８種類）、抵抗値によって指の位置を検出してもよい。また、電極の配列はメッシュ状でなくともよく、放射状であってもよい。さらに、指の接触による操作円板の表面電荷の変化を検知する静電容量方式を採用してもよい。
【００７７】
なお、一覧を表示する形態としては、図示するものに限らず、サムネイル画像８２を例に挙げると、図１４のように４個毎に横に並べる形態の他に、行列状（例えば、４×３＝１２個毎）に並べる形態を採用してもよい。さらに、あたかも写真フイルムを閲覧しているかのような雰囲気を出すために、サムネイル画像８２の一覧の背景に写真フイルムの画像を重ねてもよい。
【００７８】
なお、図２０および図２１に示す例では、ファイル名８３の代わりにサムネイル画像８２を一覧で表示してもよい。また、ランク８９を一覧で表示し、ランク８９が指定された後に、そのランク８９に属する画像データのファイル名８３を一覧表示してもよい。
【００７９】
また、カテゴライズ機能、日時分類機能、ランク分類機能を画像蓄積装置１００側にも持たせておき、画像蓄積装置１００側でこれらの設定を行ってもよい。
【００８０】
なお、タッチパッド２１の形状は、上記実施形態の円形に限らず、楕円形や四角形でもよい。また、決定ボタン２２をタッチパッド２１の中央部に設けているが、タッチパッド２１の周辺に近接して設けてもよい。さらに、決定ボタン２２を、レリーズボタンとして機能させてもよい。この場合、レリーズボタン１２が不要となり、部品コストを削減することができる。
【００８１】
上記実施形態では、撮像装置として、デジタルカメラ２を例示して説明したが、本発明はこれに限定されず、他の撮像装置、例えば、カメラ付き携帯電話などにも適用することができる。
【図面の簡単な説明】
【００８２】
【図１】本発明を適用したデジタルカメラの正面外観斜視図である。
【図２】デジタルカメラの背面外観図である。
【図３】タッチパッドの好適な配置箇所を説明するための説明図である。
【図４】タッチパッドの構成を示す平面図である。
【図５】タッチパッドの構成を示す拡大断面図である。
【図６】タッチパッドの電気的な構成を示す模式図である。
【図７】デジタルカメラの電気的構成を示すブロック図である。
【図８】回転速度の検知方法を説明するための説明図である。
【図９】画像をスクロール可能なように再生表示した状態を示す図である。
【図１０】画像を回転可能なように再生表示した状態を示す図である。
【図１１】画像をコマ送り・コマ戻し可能なように再生表示した状態を示す図である。
【図１２】動画を早送り・巻き戻し可能なように再生表示した状態を示す図である。
【図１３】動画を再生開始位置の指定が可能なように再生表示した状態を示す図である。
【図１４】サムネイル画像をスクロール可能なように一覧で表示した状態を示す図である。
【図１５】ファイル名をスクロール可能なように一覧で表示した状態を示す図である。
【図１６】フォルダ名をスクロール可能なように一覧で表示した状態を示す図である。
【図１７】項目をスクロール可能なように一覧で表示した状態を示す図である。
【図１８】カテゴリフォルダ名をスクロール可能なように一覧で表示した状態を示す図である。
【図１９】日時フォルダ名をスクロール可能なように一覧で表示した状態を示す図である。
【図２０】ファイル名をスクロール可能なように、ランクの高いものから順に一覧で表示した状態を示す図である。
【図２１】ファイル名をスクロール可能なように、再生表示回数の多いものから順に一覧で表示した状態を示す図である。
【図２２】デジタルカメラを画像蓄積装置に接続した状態を示す図である。
【図２３】デジタルカメラと画像蓄積装置との画像データの同期を概念的に示す図である。
【図２４】デジタルカメラと画像蓄積装置との設定項目の同期を概念的に示す図である。
【図２５】メモリカードに記憶されていて画像蓄積装置に記憶されていない画像データのファイル名を表示した状態を示す図である。
【図２６】画像の同期を行うことが決定された画像データのファイル名にチェックマークが付された状態を示す図である。
【図２７】タッチパッドの操作に応じた処理の手順を示すフローチャートである。
【図２８】タッチパッドの構成の別の実施形態を示す図である。
【符号の説明】
【００８３】
２  デジタルカメラ
１０  撮像レンズ
１２  レリーズボタン
１７  液晶表示器（ＬＣＤ）
２１  タッチパッド
２２  決定ボタン
３０  右手
３０ａ  親指
４１ａ、４１ｂ  Ｘ方向、Ｙ方向電極
４４  座標検出回路
５３  ＣＰＵ
５６  ＣＣＤ
６７  ＬＣＤドライバ
７０  メモリカード
７６  通信Ｉ／Ｆ
７７  回転検知回路
８２  サムネイル画像
８３  ファイル名
８４  フォルダ名
８６  項目
８７  カテゴリフォルダ名
８８  日時フォルダ名
８９  ランク
９０  再生表示回数
１００  画像蓄積装置
【図１】
2006191232.tif 000003
【図２】
2006191232.tif 000004
【図３】
2006191232.tif 000005
【図４】
2006191232.tif 000006
【図５】
2006191232.tif 000007
【図６】
2006191232.tif 000008
【図７】
2006191232.tif 000009
【図８】
2006191232.tif 000010
【図９】
2006191232.tif 000011
【図１０】
2006191232.tif 000012
【図１１】
2006191232.tif 000013
【図１２】
2006191232.tif 000014
【図１３】
2006191232.tif 000015
【図１４】
2006191232.tif 000016
【図１５】
2006191232.tif 000017
【図１６】
2006191232.tif 000018
【図１７】
2006191232.tif 000019
【図１８】
2006191232.tif 000020
【図１９】
2006191232.tif 000021
【図２０】
2006191232.tif 000022
【図２１】
2006191232.tif 000023
【図２２】
2006191232.tif 000024
【図２３】
2006191232.tif 000025
【図２４】
2006191232.tif 000026
【図２５】
2006191232.tif 000027
【図２６】
2006191232.tif 000028
【図２７】
2006191232.tif 000029
【図２８】
2006191232.tif 000030